(57)【特許請求の範囲】
【請求項１】
下部構造に固定されたベースプレートと、ベースプレートに固定され橋軸方向に伸びるガイド溝と上楊力阻止部と少なくとも一方に一方向移動係合部が形成された一対の断面コ字形のガイド部材と、
前記ガイド部材の一方向移動係合部と係合する一方向変位伝達部が形成された変位伝達部材と、
一方向移動係合部又は一方向変位伝達部のいずれかに配置され一方向移動係合部又は一方向変位伝達部のいずれかを橋軸方向に伸縮させる復元性のある弾性部材と、
両側端部が前記ガイド部材のガイド溝に橋軸方向に摺動可能に係合し上楊力が阻止されるガイドプレートの下部に前記変位伝達部材に橋桁の橋軸方向の変位を伝達するブロック部を形成し、前記ガイドプレートの上部に弾性ゴムと上部連結プレートを一体化した上部部材と、
前記上部部材が固定される上部構造と、
を備え、
前記上部構造のコンクリートの乾燥収縮と温度変化による変位に対して自動的に下部構造に対して橋軸方向の一方向のみに上部部材が変位することを特徴とするポストスライド装置。
【請求項２】
下部構造に固定されたベースプレートと、ベースプレートに固定され橋軸方向に伸びるガイド溝と上楊力阻止部と少なくとも一方に復元性のある弾性部材により橋軸方向に伸縮可能な一方向移動係合部が形成された一対の断面Ｌ字形のガイド部材と、
前記ガイド部材のガイド溝に橋軸方向に摺動可能に係合し上楊力が阻止され、両側端部に前記一方向移動係合部と係合する一方向変位伝達部が形成されたガイドプレートの上に弾性ゴム及び上部連結プレートを一体化した上部部材と、
前記上部部材が固定される上部構造と、
を備え、
前記上部構造のコンクリートの乾燥収縮と温度変化による変位に対して自動的に下部構造に対して橋軸方向の一方向のみに上部部材が変位することを特徴とするポストスライド装置。
【請求項３】
一方向移動係合部と一方方向変位伝達部による一方向移動を一方向ギヤ同士の噛合又は一方向の移動のみを許容するピンと凹部の係合とすることを特徴とする請求項１又は２に記載のポストスライド装置。
【請求項４】
前記復元性のある弾性部材をスプリング又は弾性ゴムで形成することを特徴とする請求項１ないし３のいずれか１項に記載のポストスライド装置。
【請求項５】
前記ガイド部材の橋軸方向の両端部にストパー部材を配置することを特徴とする請求項１ないし４のいずれか１項に記載のポストスライド装置。
【請求項６】
前記弾性ゴムの厚みを最小厚に設計することを特徴とする請求項１ないし５のいずれか１項に記載のポストスライド装置。
【請求項７】
前記ポストスライド装置をスライド支承装置と併用することを特徴とする請求項１ないし６のいずれか１項に記載のポストスライド装置。
【発明の詳細な説明】
【技術分野】
【０００１】
本発明は、橋桁と橋脚との間に配置される橋桁の温度変化による収縮力による変形を自動的に吸収可能なポストスライド装置。
【背景技術】
【０００２】
橋脚又は橋台等の下部構造と橋桁等の上部構造との間に、弾性ゴム等の弾性部材を用いた支承装置が設置される。弾性部材を配置した支承装置は、通常（中立時）に水平方向に関して無荷重状態時における直立状態であることが、慣性力に対して有効性を発揮する上で前提条件となっている。長大橋の場合、橋桁の温度変化による伸縮力が非常に大きくなるので、弾性部材この変形を吸収するためには非常に大きな弾性部材の厚さが必要となる。
【０００３】
このような橋桁の温度変化による変形に対応するために、弾性支承装置の弾性部材に橋桁の収縮変形方向と逆方向のせん断変形（予備せん断変形）を与えて設置すれば弾性部材の厚みを薄くすることが可能となる。
【先行技術文献】
【特許文献】
【０００４】
【特許文献１】特開２０００−２９７４０９号公報
【特許文献２】特開２０１２−２６１６４号公報
【発明の概要】
【発明が解決しようとする課題】
【０００５】
弾性支承装置の弾性部材の予備せん断変形工法では、一定期間弾性部材の予備せん断変形を保持する予備せん断変形保持装置を必要とし、一定期間経過後、その予備せん断変形保持装置を撤去する。しかしながら、狭い作業空間での予備せん断変形保持装置の撤去作業には多くの時間を要するという問題を有する。
【０００６】
本発明は、従来技術の持つ課題を解決する、構造が簡単で、橋桁の温度変化による変形に自動的に追随し、弾性ゴムの厚みを最小厚に設定することができ、後作業を無くすことが可能なポストスライド装置を提供することを目的とする。
【課題を解決するための手段】
【０００７】
本発明のポストスライド装置は、前記課題を解決するために、下部構造に固定されたベースプレートと、ベースプレートに固定され橋軸方向に伸びるガイド溝と上楊力阻止部と少なくとも一方に一方向移動係合部が形成された一対の断面コ字形のガイド部材と、前記ガイド部材の一方向移動係合部と係合する一方向変位伝達部が形成された変位伝達部材と、一方向移動係合部又は一方向変位伝達部のいずれかに配置され一方向移動係合部又は一方向変位伝達部のいずれかを橋軸方向に伸縮させる復元性のある弾性部材と、両側端部が前記ガイド部材のガイド溝に橋軸方向に摺動可能に係合し上楊力が阻止されるガイドプレートの下部に前記変位伝達部材に橋桁の橋軸方向の変位を伝達するブロック部を形成し、前記ガイドプレートの上部に弾性ゴムと上部連結プレートを一体化した上部部材と、前記上部部材が固定される上部構造と、を備え、前記上部構造のコンクリートの乾燥収縮と温度変化による変位に対して自動的に下部構造に対して橋軸方向の一方向のみに上部部材が変位することを特徴とする。
【０００８】
また、本発明のポストスライド装置は、下部構造に固定されたベースプレートと、ベースプレートに固定され橋軸方向に伸びるガイド溝と上楊力阻止部と少なくとも一方に復元性のある弾性部材により橋軸方向に伸縮可能な一方向移動係合部が形成された一対の断面Ｌ字形のガイド部材と、前記ガイド部材のガイド溝に橋軸方向に摺動可能に係合し上楊力が阻止され、両側端部に前記一方向移動係合部と係合する一方向変位伝達部が形成されたガイドプレートの上に弾性ゴム及び上部連結プレートを一体化した上部部材と、前記上部部材が固定される上部構造と、を備え、前記上部構造のコンクリートの乾燥収縮と温度変化による変位に対して自動的に下部構造に対して橋軸方向の一方向のみに上部部材が変位することを特徴とする。
【０００９】
また、本発明のポストスライド装置は、一方向移動係合部と一方方向変位伝達部による一方向移動を一方向ギヤ同士の噛合又は一方向の移動のみを許容するピンと凹部の係合とすることを特徴とする。
【００１０】
また、本発明のポストスライド装置は、前記復元性のある弾性部材をスプリング又は弾性ゴムで形成することを特徴とする。
【００１１】
また、本発明のポストスライド装置は、前記ガイド部材の橋軸方向の両端部にストパー部材を配置することを特徴とする。
【００１２】
また、本発明のポストスライド装置は、前記弾性ゴムの厚みを最小厚に設計することを特徴とする。
【００１３】
また、本発明のポストスライド装置は、前記ポストスライド装置をスライド支承装置と併用することを特徴とする。
【発明の効果】
【００１４】
下部構造に固定されたベースプレートと、ベースプレートに固定され橋軸方向に伸びるガイド溝と上楊力阻止部と少なくとも一方に一方向移動係合部が形成された一対の断面コ字形のガイド部材と、前記ガイド部材の一方向移動係合部と係合する一方向変位伝達部が形成された変位伝達部材と、一方向移動係合部又は一方向変位伝達部のいずれかに配置され一方向移動係合部又は一方向変位伝達部のいずれかを橋軸方向に伸縮させる復元性のある弾性部材と、両側端部が前記ガイド部材のガイド溝に橋軸方向に摺動可能に係合し上楊力が阻止されるガイドプレートの下部に前記変位伝達部材に橋桁の橋軸方向の変位を伝達するブロック部を形成し、前記ガイドプレートの上部に弾性ゴムと上部連結プレートを一体化した上部部材と、前記上部部材が固定される上部構造と、を備え、前記上部構造のコンクリートの乾燥収縮と温度変化による変位に対して自動的に下部構造に対して橋軸方向の一方向のみに上部部材が変位することで、部品点数が少なく、狭い作業空間での組み立て設置作業が容易で、橋桁の長期的なコンクリートの乾燥収縮と温度変化による変形に対して橋軸方向の一方向にのみ自動的に追随し中立状態を維持するので弾性ゴムの厚みを薄くすることができ、薄型の装置とすることができ、工期終了時の後作業を著しく減らすことが可能となる。
下部構造に固定されたベースプレートと、ベースプレートに固定され橋軸方向に伸びるガイド溝と上楊力阻止部と少なくとも一方に復元性のある弾性部材により橋軸方向に伸縮可能な一方向移動係合部が形成された一対の断面Ｌ字形のガイド部材と、前記ガイド部材のガイド溝に橋軸方向に摺動可能に係合し上楊力が阻止され、両側端部に前記一方向移動係合部と係合する一方向変位伝達部が形成されたガイドプレートの上に弾性ゴム及び上部連結プレートを一体化した上部部材と、前記上部部材が固定される上部構造と、を備え、前記上部構造のコンクリートの乾燥収縮と温度変化による変位に対して自動的に下部構造に対して橋軸方向の一方向のみに上部部材が変位することで、部品点数が少なく、狭い作業空間での組み立て設置作業が容易で、橋桁の長期的なコンクリートの乾燥収縮と温度変化による変形に対して橋軸方向の一方向にのみ自動的に追随し中立状態を維持するので弾性ゴムの厚みを薄くすることができ、薄型の装置とすることができ、工期終了時の後作業を著しく減らすことが可能となる。
一方向移動係合部と一方方向変位伝達部による一方向移動を一方向ギヤ同士の噛合又は一方向の移動のみを許容するピンと凹部の係合とすることで、上部構造の温度変化による収縮力の変位方向にのみ移動し逆方向に移動しないので長期的温度変化による変位を吸収することが可能となる。
復元性のある弾性部材をスプリング又は弾性ゴムで形成することで、入手が容易で安価であるため製品の低価格に貢献することが可能となる。
ガイド部材の橋軸方向の両端にストッパー部材を配置することで、上部構造の下部構造に対する設定された変位以上の移動を阻止することが可能となる。
弾性ゴムの厚みを最小厚に設計することで、ポストスライド装置の薄型化に貢献することが可能となる。
ポストスライド装置をスライド支承装置と併用することで、ポストスライド装置を機能分離型支承装置のバッファとして使用することが可能となる。
【図面の簡単な説明】
【００１５】
【図１】本発明の実施形態を示す図である。
【図２】本発明の実施形態を示す図である。
【図３】本発明の実施形態を示す図である。
【図４】（ａ）（ｂ）本発明の実施形態を示す図である。
【図５】（ａ）（ｂ）本発明の実施形態を示す図である。
【図６】（ａ）（ｂ）本発明の実施形態を示す図である。
【図７】本発明の実施形態を示す図である。
【図８】本発明の実施形態を示す図である。
【図９】本発明の実施形態を示す図である。
【図１０】本発明の実施形態を示す図である。
【図１１】本発明の実施形態を示す図である。
【発明を実施するための形態】
【００１６】
本発明の実施の形態を図により説明する。図１は、本発明のポストスライド装置の使用状態の一実施形態を示す図である。
【００１７】
図１に示されるように、上部構造としてのコンクリート製の橋桁１と下部構造としての橋台又は橋脚２との間にスライド支承装置３が設置される。橋桁１のコンクリートの乾燥収縮と温度変化による変形に追随し、橋桁１の収縮力による変形方向にのみ橋台又は橋脚２に対して移動するポストスライド装置７を、橋桁１の側面と橋台又は橋脚２間に設置する。
【００１８】
ポストスライド装置７は、橋台又は橋脚２にアンカー部材８で固定されるベースプレート９を備えている。ベースプレート９には、互いに橋軸方向に平行に伸びるガイド部材１０が固定される。
【００１９】
図３（ａ）（ｂ）に示されるように、ガイド部材１０は、ガイド溝１０ａの上部に上楊力阻止部として機能する上部突起１０ｂと下部に一方向移動係合部１０ｄが形成される下部突起１０ｃが形成された断面コ字形の部材である。一方向移動係合部１０ｄは一対のガイド部材１０のいずれか一方に形成しても両方に形成しても良い。ガイド部材１０の橋軸方向の両端には、ストッパー部材１１を固定する。
【００２０】
図４（ａ）（ｂ）は、一対のガイド部材１０、１０間に配置される変位伝達部材１２の一実施形態を示す図である。変位伝達部材１２は、ガイド溝１０ａの橋軸直角方向間の距離とほぼ同じ幅の補強部１２ａと、補強部１２ａの下部に補強部１２ａの幅より小さく両側がガイド部材１０に形成された一方向移動係合部１０ｄと係合する一方向変位伝達部１２ｂが形成された伝達部１２ｃを備えている。ガイド部材１０の一方にのみ一方向係合部１０ｄが形成されている場合は、変位伝達部材１２の一方の側にのみ一方向変位伝達部１２ｂを形成し、他方の側は直線状に形成する。変位伝達部材１２の橋軸方向の長さは、ガイド部材１０の橋軸方向の長さより短い。この実施形態では、左右の補強部１２ａと伝達部１２ｃの間に変位伝達部材１２を橋軸直角方向に伸縮させる復元性のある弾性部材１３が配置される。復元性のある弾性部材１３としては、弾性ゴムやスプリング等である。
【００２１】
図５（ａ）（ｂ）は、橋桁１にアンカー部材１５で固定される上部部材１４の一実施形態を示す図である。上部部材１４は、ガイド部材１２のガイド溝１０ａと係合するガイドプレート１４ａを備えている。ガイドプレート１４ａの橋軸直角方向の長さは、ガイド溝
１０ａの橋軸直角方向間の距離とほぼ同じとする。ガイドプレート１４ａの厚みと変位伝達部材１２の厚みの和は、ベースプレート９の表面からガイド部材１０の上部突起１０ｂの下面間の高さとほぼ同じとし、ガイドプレート１４ａの上面がガイド部材１０の上部突起１０ｂの下面と密着し、上楊力が阻止される。
【００２２】
ガイドプレート１４ａの下面には、変位伝達部材１２に橋桁１の橋軸方向の変位を伝達するブロック部１４ｂが固定される。ガイドプレート１４ａの上部に弾性ゴム１４ｃと上部連結プレート１４ｄを加硫成形により一体化する。
【００２３】
図２は、橋台又は橋脚２に固定されたベースレート９上の一対のガイド部材１０に、変位伝達部材１２と上部部材１４を組み込んだ状態を示す図である。
【００２４】
図６は、図２のＡ−Ａ線の切断面図である。この実施形態では、ガイド部材１０に形成される一方向移動係合部１０ｄと、変位伝達部材１２に形成される一方向変位伝達部１２ｂを一方向ギヤの噛合としている。
【００２５】
橋桁１の温度変化による変位は、上部部材１４のブロック部１４ｂを介して変位伝達部材１２に伝達され、橋桁１の温度変化の収縮力による変位方向にのみ橋台又は橋桁２に対して移動し、橋桁１のコンクリートの乾燥収縮と温度変化の膨張力による変位方向の移動は阻止される。また、ガイド部材１０の橋軸方向の両端にはストッパー部材１１が固定されており、変位伝達部材１２のガイド部材１０に沿った移動が制限される。図６に示される実施形態では、一対のガイド部材１０の両方に一方向移動移動係合部１０ｄを形成しているが、いずれか一方にのみ一方向移動移動係合部１０ｄを形成し、変位伝達部材１２の一方の側にのみ一方向変位伝達部１２ｂを形成しても良い。
【００２６】
図７は、ガイド部材１０に形成された一方向移動係合部１０ｄと変位伝達部材１２の一方向変位伝達部１２ｂ間で橋軸直角方向に伸縮するための復元性のある弾性部材１３をガイド部材１０側に配置した実施形態を示す図である。図７に示される実施形態では、一対のガイド部材１０の両方に一方向移動移動係合部１０ｄを形成しているが、いずれか一方にのみ一方向移動移動係合部１０ｄを形成し、変位伝達部材１２の一方の側にのみ一方向変位伝達部１２ｂを形成しても良い。
【００２７】
図８は、ガイド部材１０に形成される一方向移動係合部１０ｄを先端が一方向に傾斜したピンとして、変位伝達部材１２に形成される一方向変位伝達部１２ｂをピンと係合する凹部とした実施形態を示す図である。
【００２８】
ガイド部材１０に形成される一方向移動係合部１０ｄと変位伝達部材１２に形成される一方向変位伝達部１２ｂを上下に係合する形式にしても良いが、復元性のある弾性部材１３を上下方向に配置する必要があり、ポストスライド装置７の高さが高くなるので、一方向係合部１０ｄと一方向変位伝達部１２ｂの係合は横方向の係合が望ましい。
【００２９】
図９、図１０、図１１は、本発明のポストスライド装置７の他の実施形態を示す図である。この実施形態では、変位伝達部材１２を省略し、上部部材１４のガイドプレート１４ａの橋軸直角方向の両側に一方向変位伝達部１４ｅを形成する。ベースプレート９に固定されるガイド部材１０を断面Ｌ字形とし、ガイド部材１０のガイド溝１０ａに復元性のある弾性部材１３と一方向移動係合部１０ｄを配置する。他の構成は、前述の実施形態と同様であるので省略する。  図９、図１０、図１１に示される実施形態では、一対のガイド部材１０の両方に一方向移動移動係合部１０ｄを形成しているが、いずれか一方にのみ一方向移動移動係合部１０ｄを形成し、ガイドプレート１４ａの橋軸直角方向の一方の側にのみ一方向変位伝達部１４ｅを形成しても良い。
【００３０】
次に、ポストスライド装置７の作用について説明する。ポストスライド装置７は、橋桁１の側面と橋台又は橋脚２間に配置される。橋桁１のコンクリートの乾燥収縮と温度変化による変形に対しては、橋桁１が高温度により膨張した場合は、ガイド部材１０の一方向移動係合部１０ｄと変位伝達部材１２又はガイドプレート１４ａの一方向変位伝達部１２ｂ又は１４ｅの係合は、橋桁１の収縮力方向にのみ移動可能で逆方向の移動は阻止されているので弾性ゴム１４ｃが変形して吸収する。
【００３１】
橋桁１の低温による収縮力による変位に対しては、変位伝達部材１２又はガイドプレート１４ａの一方向変位伝達部１２ｂ又は１４ｅとガイド部材１２の一方向移動係合部１０ｄの係合を介して、上部部材１４が橋台又は橋脚２に対して移動する。そのため、上部部材１４は中立状態が保持されるので弾性ゴム１４ｃを薄く設定することができる。
【００３２】
ポストスライド装置７は、橋台又は橋脚２に固定されたガイド部材１０に上楊力止めされ、上下、左右方向に隙間なく嵌合しているので移動の際のがたつきがなく正確に橋軸方向に移動する。工期終了時の後作業を著しく少なくすることができる。
【００３３】
以上のように、本発明のポストスライド装置７によれば、部品点数が少なく、狭い作業空間での組み立て設置作業が容易で、橋桁の長期的な温度変化による変形に対して橋軸方向の一方向にのみ自動的に追随し中立状態を維持するので弾性ゴムの厚みを薄くすることができ、薄型の装置とすることができ、工期終了時の後作業を著しく減らすことが可能となる。
【符号の説明】
【００３４】
１：橋桁、２：橋台又は橋脚、３：スライド支承装置、７：ポストスライド装置、８：アンカー部材、９：ベースプレート、１０：ガイド部材、１０ａ：ガイド溝、１０ｂ：上部突起、１０ｃ：下部突起、１０ｄ：一方向移動係合部、１１：ストッパー部材、１２：変位伝達部材、１２ａ：補強部、１２ｂ：一方向変位伝達部、１２ｃ：伝達部、１３：復元性のある弾性部材、１４：上部部材、１４ａ：ガイドプレート、１４ｂ：ブロック部、１４ｃ：弾性ゴム、１４ｄ：上部連結プレート、１４ｅ：一方向変位伝達部，１５：アンカー部材
【要約】      （修正有）【課題】構造が簡単で、橋桁の温度変化による変形に自動的に追随し、弾性ゴムの厚みを最小厚に設定することができ、後作業を無くすことが可能なポストスライド装置の提供。【解決手段】上部構造又は下部構造に固定されたベースプレート９と、一方向移動係合部が形成された一対の断面コ字形のガイド部材１０と、前記一方向移動係合部と係合する変位伝達部材１２と、前記一方向移動係合部又は前記一方向変位伝達部のいずれかを橋軸方向に伸縮させる弾性部材１３と、橋軸方向に摺動可能に係合し上楊力が阻止されるガイドプレートの下部に変位伝達部材１２に橋桁の橋軸方向の変位を伝達するブロック部を形成し、前記ガイドプレートの上部に弾性ゴムと上部連結プレートを一体化した上部部材と、前記上部部材が固定される上部構造とを備え、前記上部構造のコンクリートの乾燥収縮と温度変化による変位に対して橋軸方向の一方向のみに前記上部部材が変位する。【選択図】図２【図１】
0005866476.tif 000002
【図２】
0005866476.tif 000003
【図３】
0005866476.tif 000004
【図４】
0005866476.tif 000005
【図５】
0005866476.tif 000006
【図６】
0005866476.tif 000007
【図７】
0005866476.tif 000008
【図８】
0005866476.tif 000009
【図９】
0005866476.tif 000010
【図１０】
0005866476.tif 000011
【図１１】
0005866476.tif 000012